(57)【要約】  光ディスクの格納のための、第１ハウジング部３、第２ハウジング部５および、第１および第２ハウジング部の間に設置する中間の第３ハウジング部７を含む多連装情報ディスクハウジング。第１ハウジング部は蓋部であり、また、第２ハウジング部は底部である。蓋部には、ヒンジアーム３１Ａ，３１Ｂとして形成するヒンジ素子を設ける。底部には、底部コーナー凹み３７Ａ，３７Ｂとして形成するヒンジ素子を設ける。中間ハウジング部には、２個の異なる種類の中間ハウジング部ヒンジ素子を設け、すなわち、i)中間ハウジング部ヒンジアーム３９Ａ，３９Ｂと、ii）中間ハウジング部７のコーナー凹み４１Ａ，４１Ｂと、を設ける。各ヒンジアームは、それぞれ対応するコーナー凹みに突入し、対応する凹みヒンジ壁に回転可能に結合して、コーナーヒンジを形成する。蓋部および中間ハウジング部は、それぞれヒンジアーム保護壁を有し、保護壁は、それぞれに対応するヒンジアームが、対応の保護壁と対応のヒンジ壁との間に存在する構成とする。
2007518633.tif 000002
【特許請求の範囲】
【請求項１】
情報ディスクの収納のための多連装情報ディスクハウジングであって、
‐第１ハウジング部の主壁、互いに対向する第１ハウジング部の側方側壁、および互いに対向する第１ハウジング部の交差方向側壁を有する第１ハウジング部と、
‐第２ハウジング部の主壁、互いに対向する第２ハウジング部の側方側壁、および互いに対向する第２ハウジング部の交差方向側壁を有する第２ハウジング部と、
‐第１および第２のハウジング部の間に設置し、中間ハウジング部の主壁、互いに対向する中間ハウジング部の側方側壁、互いに対向する中間ハウジング部の交差方向側壁を有する中間ハウジング部と、
‐第１ハウジング部を中間ハウジング部に連結するためのコーナーヒンジ、および第２ハウジング部を中間ハウジング部に連結するための２個のコーナーヒンジであって、それぞれヒンジ素子によって形成される該コーナーヒンジと
を備える該多連装情報ディスクハウジングにおいて、
‐第１ハウジング部には、として形成し対応する第１ハウジング部の側方側壁からそれぞれ内方に引っ込んだ位置をとる第１ハウジング部ヒンジアームとして形成したヒンジ素子を設け、
‐第２ハウジング部には、第２ハウジング部のコーナー凹みとして形成したヒンジ素子を設け、これら第２ハウジング部コーナー凹みは、それぞれ対応する第２ハウジング部側方側壁から凹ませた第２ハウジング部凹みヒンジ壁によって形成し、
‐中間ハウジング部には、２個の異なる種類の中間ハウジング部ヒンジ素子を設け、第１の種類は、中間ハウジング部ヒンジアームとして形成し、各中間ハウジング部ヒンジアームは、対応する中間ハウジング部の側方側壁から内方に引っ込んだ位置をとるヒンジアームとして形成し、対応する第２ハウジング部凹みヒンジ壁に整列するヒンジ素子であり、第２の種類は、中間ハウジング部７のコーナー凹みとして形成し、各コーナー凹みは、対応する中間ハウジング部の凹みヒンジ壁によって形成し、対応する第１ハウジング部ヒンジアームに整列するヒンジ素子とし、
‐各ヒンジアームは、それぞれ対応するコーナー凹みに突入し、対応する凹みヒンジ壁に回転可能に結合してコーナーヒンジを形成し、また、
第１ハウジング部および中間ハウジング部は、それぞれ２個の保護壁を有し、これら保護壁は、第１ハウジング部ヒンジアーム保護壁および中間ハウジング部ヒンジアーム保護壁であり、それぞれに対応するヒンジアームが、対応の保護壁と対応のヒンジ壁との間に突入する構成とした
ことを特徴とする多連装情報ディスクハウジング。
【請求項２】
中間ハウジング部ヒンジアームおよび中間ハウジング部のコーナー凹みを、それぞれ同一の中間ハウジング部の交差方向側壁に設けた請求項１に記載の多連装情報ディスクハウジング。
【請求項３】
請求項１もしくは２に記載の多連装情報ディスクハウジングにおいて、
各第１ハウジング部ヒンジアームは、
‐対応する第１ハウジング部側方側壁の延長部である第１ハウジング部ヒンジアーム外壁と、
‐前記第１ハウジング部ヒンジアーム外壁から平行に離れる第１ハウジング部ヒンジアーム内壁と、
‐第１ハウジング部ヒンジアームの前記外壁と内壁とを相互連結し、第１ハウジング部ヒンジアーム壁の前記外壁および内壁に対してほぼ直交するよう配置した第１ハウジング部ヒンジアーム後壁と、
‐第１ハウジング部ヒンジアーム壁の前記外壁と内壁とを相互連結し、これら外壁と内壁に対してほぼ直交し、第１ハウジング部ヒンジアーム後壁から離れて位置する第１ハウジング部ヒンジアーム前壁と、
‐実質的に第１ハウジング部の主壁の延長部であり、第１ハウジング部ヒンジアーム壁の前記外壁、内壁、後壁、および前壁に対してほぼ直交する第１ハウジング部ヒンジアーム頂壁と
を有し、第１ハウジング部ヒンジアーム壁の前記外壁、内壁、後壁、前壁、および頂壁が直角開放箱をなす構成とし、この直角開放箱の開口部は、第１ハウジング部が閉じている状態において、第１ハウジング部主壁から離れる方向に中間ハウジング部に向かって指向するものとし、
また、中間ハウジング部ヒンジアームは、
‐対応する中間ハウジング部側方側壁の延長部である中間ハウジング部ヒンジアーム外壁と、
‐前記中間ハウジング部ヒンジアーム外壁と平行に離れて位置する中間ハウジング部ヒンジアーム内壁と、
‐中間ハウジング部ヒンジアーム壁の前記外壁と内壁とを相互連結し、これら外壁および内壁に対してほぼ直交する中間ハウジング部ヒンジアーム後壁と、
‐中間ハウジング部ヒンジアーム壁の前記外壁と内壁とを相互連結し、これら外壁および内壁に対してほぼ直交し、また前記中間ハウジング部ヒンジアーム後壁から離れて位置する中間ハウジング部ヒンジアーム前壁と、
‐中間ハウジング部の主壁にほぼ平行に離れて位置し、中間ハウジング部ヒンジアーム壁の前記外壁、内壁、後壁、および前壁に対して直交する中間ハウジング部ヒンジアーム頂壁と
を有し、これら中間ハウジング部ヒンジアーム壁の外壁、内壁、後壁、前壁、頂壁が直角開放箱をなす構成とし、この直角開放箱の開口部は、第１ハウジング部および第２ハウジング部が閉じている状態において、第１ハウジング部に向かって第２ハウジング部から離れる方向に指向するものとし、
第１ハウジング部および第２ハウジング部が閉じている状態において、前記多連装情報ディスクハウジングは、ほぼ完全に閉じた直角平行６面体をなし、前記ヒンジアームを、それぞれ対をなして、互いに対向するハウジング両側後側面におけるハウジングコーナーに位置決めし、対応する対のヒンジアーム壁の前記外壁、内壁、後壁、前壁が、互いにほぼ同一平面上に位置し、および、ヒンジアーム壁の前記頂壁が、第１ハウジング部主壁および第２ハウジング部主壁に対してそれぞれ、ほぼ同一平面上に位置する構成とした多連装情報ディスクハウジング。
【請求項４】
請求項３に記載の多連装情報ディスクハウジングにおいて、４個のすべてのハウジングコーナーで、丸みをおびている構成とした多連装情報ディスクハウジング。
【請求項５】
請求項１〜４のうちいずれか一項に記載の多連装情報ディスクハウジングにおいて、格納すべき対応のディスクの中心孔に連係動作する保持具を、少なくとも中間ハウジング部の片側および第２ハウジング部の内側面に設けた多連装情報ディスクハウジング。
【請求項６】
請求項１〜５のうちいずれか一項に記載の多連装情報ディスクハウジングにおいて、は、一対のヒンジ素子対における一方のヒンジ素子は、開口を有し、他方のヒンジ素子は、前記開口に突入するスタッドを有するものとして構成した多連装情報ディスクハウジング。
【請求項７】
請求項１〜６のうちいずれか一項に記載の多連装情報ディスクハウジングにおいて、ヒンジ壁は剛性を有し、またヒンジアームは、第１ハウジング部および中間ハウジング部のそれぞれにおける対応するヒンジアーム間に延在するラインに沿う方向に弾性を有する構成とした多連装情報ディスクハウジング。
【請求項８】
請求項１〜７のうちいずれか一項に記載の多連装情報ディスクハウジングにおいて、保護壁は、弾性的構造を有する構成とした多連装情報ディスクハウジング。
【請求項９】
請求項１〜８のうちいずれか一項に記載の多連装情報ディスクハウジングにおいて、保護壁は、中間ハウジング部および第２ハウジング部のそれぞれにおける対応するコーナー凹みに突入する構成とした多連装情報ディスクハウジング。
【請求項１０】
請求項１〜９のうちいずれか一項に記載の多連装情報ディスクハウジング１において、保護壁は、それぞれに対応する遊端部分を有し、これら遊端部分は、互いの方向に向き合うように湾曲し、ヒンジアームの遊端からある距離だけ離れて位置する構成とした多連装情報ディスクハウジング。
【請求項１１】
請求項１０に記載の多連装情報ディスクハウジングにおいて、保護壁の各々は、対応の遊端部分に合流する滑らかな湾曲部分を有し、少なくとも多連装情報ディスクハウジングを閉じた状態にしたとき、中間ハウジング部および第２ハウジング部のそれぞれにおける対応の側方側壁と、対応の交差方向側壁である後壁との間における丸みのある遷移部を形成する構成とした多連装情報ディスクハウジング。
【請求項１２】
請求項１〜１１のうちいずれか一項に記載の多連装情報ディスクハウジングにおいて、第１ハウジング部に内部タグを設け、これら内部タグは、第１ハウジング部の交差方向側壁から互いの方向に突出し、挿入ドキュメントを保持しうるようにした多連装情報ディスクハウジング。
【請求項１３】
請求項１〜１２のうちいずれか一項に記載の多連装情報ディスクハウジングにおいて、第１ハウジング部、中間ハウジング部および第２ハウジング部を、射出成形体製品とした情報ディスクハウジング。
【請求項１４】
請求項１〜１３のうちいずれか一項に記載の多連装情報ディスクハウジングにおいて、
‐前記第２ハウジング部主壁、互いに対向する前記第２ハウジング部側方側壁、互いに対向する前記第２ハウジング部交差方向側壁を、それぞれ透明にし、
‐第２ハウジング部挿入シートを、第２ハウジング部主壁上に配置し、
‐前記第２ハウジング部挿入シートは、第２ハウジング部側方側壁に隣接して延在する挿入シート直立側方部分および第２ハウジング部交差方向側壁に隣接して延在する挿入シート交差方向側方部分のうち少なくとも一方を有するものとして構成とした多連装情報ディスクハウジング。
【請求項１５】
請求項１４に記載の多連装情報ディスクハウジングにおいて、第２ハウジング部挿入シートの直立部分上に、印刷した情報を設けた多連装情報ディスクハウジング。
【請求項１６】
請求項１４または１５に記載の多連装情報ディスクハウジングにおいて、第２ハウジング部側方側壁および第２ハウジング部交差方向側壁は、それぞれ、ほとんど途切れのない壁によって形成し、対応の第２ハウジング部主壁に対してほぼ等しい高さを有するものとして構成した多連装情報ディスクハウジング。
【請求項１７】
請求項１４〜１６のうちいずれか一項に記載の多連装情報ディスクハウジングにおいて、第２ハウジング部挿入シートの直立部分は、それぞれに対応する隣接の側壁の長さの大部分に沿って延在するものとした多連装情報ディスクハウジング。
【請求項１８】
請求項１４に記載の多連装情報ディスクハウジングにおいて、
‐第２ハウジング部の構造は、第２ハウジング部交差方向側壁である後壁がほとんど途切れなく、第２ハウジング部交差方向側壁である前壁および第２ハウジング部側方側壁のそれぞれの高さに対応する高さを有するものとし、
‐第２ハウジング部挿入シートは、第２ハウジング部後壁に隣接して延在する直立部分を有し
‐中間ハウジング部の構造は、中間ハウジング部交差方向側壁である後壁がほぼ途切れなく、中間ハウジング部交差方向側壁である前壁および中間ハウジング部側方側壁の高さに相当する高さを有するものとして構成した多連装情報ディスクハウジング。
【請求項１９】
請求項１４〜１８のうちいずれか一項に記載の多連装情報ディスクハウジングにおいて、
‐第２ハウジング部は、少なくとも１個の情報ディスクを収納する第２ハウジング部収納具を有し、
‐第２ハウジング部の側方側壁および交差方向側壁は、それぞれ、ほとんど途切れのない透明な壁によって形成し、
‐第２ハウジング部収納具は、第２ハウジング部の隣接コーナーにのみ配置した第２ハウジング部保持手段によって保持し、
‐第２ハウジング部挿入シートは、第２ハウジング部の側方側壁および交差方向側壁に隣接して延在する直立部分を有し、隣接の第２ハウジング部の側方側壁および交差方向側壁の長さの大部分に沿って延在するものとし、
‐第２ハウジング部の側方側壁および交差方向側壁に隣接して延在する第２ハウジング部挿入シートのそれぞれの直立部分は、印刷した情報を有し、
‐中間ハウジング部は、少なくとも１個の情報ディスクを収納する中間ハウジング部収納具を有し、
‐中間ハウジング部の側方側壁および交差方向側壁は、それぞれ、ほとんど途切れのない透明な壁によって形成し、
‐中間ハウジング部収納具は、中間ハウジング部の隣接コーナーにのみ配置した中間ハウジング部保持手段によって保持し、
‐中間ハウジング部挿入シートは、中間ハウジング部の側方側壁および交差方向側壁に隣接して延在する直立部分を有し、隣接の中間ハウジング部の側方側壁および交差方向側壁の長さの大部分に沿って延在するものとし、
‐中間ハウジング部の側方側壁および交差方向側壁に隣接して延在する中間ハウジング部挿入シートのそれぞれの直立部分は、印刷した情報を有するものとした多連装情報ディスクハウジング。
【請求項２０】
請求項１９に記載の多連装情報ディスクハウジングにおいて、第２ハウジング部保持手段は、第２ハウジング部収納具を第２ハウジング部に対して着脱自在に固定する構成とした多連装情報ディスクハウジング。
【請求項２１】
請求項１９または２０に記載の多連装情報ディスクハウジングにおいて、第２ハウジング部保持手段は、第２ハウジング部の交差方向側壁である後壁と一方の第２ハウジング部側方側壁との間のコーナーにおける第２ハウジング部の第１スナップ閉止素子と、および第２ハウジング部後壁と他方の第２ハウジング部側方側壁との間のコーナーにおける第２スナップ閉止素子とを有するものとして構成した多連装情報ディスクハウジング。
【請求項２２】
請求項１４〜２１のうちいずれか一項に記載の多連装情報ディスクハウジングにおいて、第２ハウジング部挿入シートは、第２ハウジング部主壁に対向する側面に、印刷情報を有するものとして構成した多連装情報ディスクハウジング。
【請求項２３】
請求項１〜２２のうちいずれか一項に記載の多連装情報ディスクハウジングにおいて、
−第２ハウジング部主壁、互いに対向する第２ハウジング部側方側壁、および互いに対向する第２ハウジング部交差方向側壁は透明とし、
−第２ハウジング部挿入シートを第２ハウジング部主壁上に配置し、
−第２ハウジング部挿入シートは、第２ハウジング部側方側壁に隣接して延在する挿入シート直立側方部分、および第２ハウジング部交差方向側壁に隣接して延在する挿入シート交差方向側方部分のうち少なくとも一方を有するものとし、
−互いに対向する中間ハウジング部側方側壁、および互いに対向する中間ハウジング部交差方向側壁は不透明とした多連装情報ディスクハウジング。
【請求項２４】
請求項２３に記載の多連装情報ディスクハウジングにおいて、第２ハウジング部挿入シートの直立部分上に、印刷情報を設けた多連装情報ディスクハウジング。
【請求項２５】
請求項２３または２４に記載の多連装情報ディスクハウジング１において、第２ハウジング部側方側壁および第２ハウジング部交差方向側壁は、それぞれ、ほとんど途切れのない壁によって形成し、対応の第２ハウジング部主壁に対してほぼ等しい高さを有するものとして構成した多連装情報ディスクハウジング。
【請求項２６】
請求項２３〜２５のうちいずれか一項に記載の多連装情報ディスクハウジングにおいて、第２ハウジング部挿入シートの直立部分は、それぞれに対応する隣接の側壁の長さの大部分に沿って延在するものとした多連装情報ディスクハウジング。
【請求項２７】
請求項２３に記載の多連装情報ディスクハウジング１において、
‐第２ハウジング部の構造は、第２ハウジング部の交差方向側壁である後壁がほとんど途切れることなく、第２ハウジング部の交差方向側壁である前壁および第２ハウジング部側方側壁のそれぞれの高さに対応する高さを有するものとし、
‐第２ハウジング部挿入シートは、第２ハウジング部後壁に隣接して延在する直立部分を有し、
‐中間ハウジング部の構造は、中間ハウジング部の交差方向側壁である後壁がほぼ途切れることなく、中間ハウジング部の交差方向側壁である前壁および中間ハウジング部側方側壁の高さに相当する高さを有するものとして構成した多連装情報ディスクハウジング。
【請求項２８】
請求項２３〜２７のうちいずれか一項に記載の多連装情報ディスクハウジングにおいて、
‐第２ハウジング部は、少なくとも１個の情報ディスクを収納する第２ハウジング部収納具を有し、
‐第２ハウジング部の側方側壁および交差方向側壁は、それぞれ、ほとんど途切れのない透明な壁によって形成し、
‐第２ハウジング部収納具は、第２ハウジング部の隣接コーナーにのみ配置した第２ハウジング部保持手段によって保持し、
‐第２ハウジング部挿入シートは、第２ハウジング部の側方側壁および交差方向側壁に隣接して延在する直立部分を有し、隣接の第２ハウジング部の側方側壁および交差方向側壁の長さの大部分に沿って延在し、
‐第２ハウジング部の側方側壁および交差方向側壁に隣接して延在する第２ハウジング部挿入シートのそれぞれの直立部分に、印刷情報を設けた多連装情報ディスクハウジング。
【請求項２９】
請求項２８に記載の多連装情報ディスクハウジングにおいて、第２ハウジング部の保持手段は、第２ハウジング部収納具を第２ハウジングに対して着脱自在に固定する構成とした多連装情報ディスクハウジング。
【請求項３０】
請求項２８または２９に記載の多連装情報ディスクハウジングにおいて、第２ハウジング部保持手段は、第２ハウジング部の交差側壁である前壁と一方の第２ハウジング部側方側壁との間のコーナーに設けた第２ハウジング部第１スナップ閉止素子と、および第２ハウジング部前面壁と他方の第２ハウジング部側方側壁との間のコーナーに設けた第２ハウジング部第２スナップ閉止素子とを有するものとして構成した多連装情報ディスクハウジング。
【請求項３１】
請求項２３〜３０に記載の多連装情報ディスクハウジングにおいて、第２ハウジング部挿入シートは、透明な第２ハウジング部主壁に対向する側面に、情報を印刷した多連装情報ディスクハウジング。
【請求項３２】
請求項１〜３１のうちいずれか一項に記載の多連装情報ディスクハウジングにおいて、中間ハウジング部を、一体射出成型した不透明なハウジング部とし、少なくとも１個の情報ディスクを中間ハウジング部主壁２５の表裏両面のうち少なくとも一方の面に少なくとも１個の情報ディスクを保持する中間ハウジング部保持具を一体に形成した多連装情報ディスクハウジング。
【請求項３３】
請求項１〜３２のうちいずれか一項に記載の多連装情報ディスクハウジングにおいて、多連装情報ディスクハウジングを、個別の浅い箱を２個、すなわち上側ボックスおよび下側ボックスを積み重ねた構造であって、各ボックスが、それぞれ、第１ハウジング部、第２ハウジング部、およびハウジングの同一側に配置した２個のコーナーヒンジを有し、上側ボックスの第２ハウジング部および下側ボックスの第１ハウジング部を一体中間ハウジング部に合体させ、この中間ハウジング部に対して上側ボックスの第１ハウジング部および下側ボックスの第２ハウジング部をヒンジ連結する全体構造を有する構成とした多連装情報ディスクハウジング。
【請求項３４】
請求項１〜３３のうちいずれか一項に記載の多連装情報ディスクハウジングにおいて、
‐第２ハウジング部に対してヒンジ連結して回動できるヒンジトレイ部であって、トレイ部主壁と、互いに対向するトレイ部側方側壁と、互いに対向するトレイ部交差方向側壁とを有し、また、少なくとも１個の情報ディスクをトレイ部主壁の表裏両面のうち少なくとも一方の面にトレイ部保持具を設けた該ヒンジトレイ部を備え、
‐前記ヒンジトレイ部には、トレイ部ヒンジアームとして形成したヒンジ素子を設け、各トレイ部ヒンジアームは、対応のヒンジトレイ部側方側壁から引っ込ませることによって形成し、
‐各トレイ部ヒンジアームを、中間ハウジング部ヒンジアームとは反対側の側面においてコーナーヒンジを形成するために、第２ハウジング部凹みヒンジ壁に対して回転可能に連結し、これにより、ヒンジトレイ部ヒンジアームが、２個の第２ハウジング部凹みヒンジ壁間に延在し、かつこれらの第２ハウジング部凹みヒンジ壁とヒンジ連係動作できる構成とした多連装情報ディスクハウジング。
【請求項３５】
請求項３４に記載の多連装情報ディスクハウジングにおいて、両側のヒンジトレイ部ヒンジアーム相互を、トレイ部主壁に平行な平面上に存在する平坦な相互連結部によって相互連結した多連装情報ディスクハウジング。
【発明の詳細な説明】
【技術分野】
【０００１】
本発明は、特に、ＣＤやＤＶＤ等のような中心孔を有する複数個の情報ディスク、とくに複数個の光ディスクを格納するための多連装情報ディスクハウジングに関する。
【０００２】
多連装情報ディスクハウジングは、以下の３個のハウジング部からなる、すなわち、浅い開放した箱形状であり、第１ハウジング部の主壁、互いに対向する第１ハウジング部の側方側壁、および互いに対向する第１ハウジング部の交差方向側壁（側方側壁に交差する方向に延在する側壁）を有するヒンジ連結の第１ハウジング部と、浅い開放した箱形状であり、第２ハウジング部の主壁、互いに対向する第２ハウジング部の側方側壁、および互いに対向する第２ハウジング部の交差方向側壁を有する第２ハウジング部と、第１および第２のハウジング部の間に設置し、中間ハウジング部の主壁、互いに対向する中間ハウジング部の側方側壁、互いに対向する中間ハウジング部の交差方向側壁を有する中間第３ハウジング部と、からなり、さらに、４個のコーナーヒンジを設け、このうちの２個は、中間ハウジング部主壁の表裏両面のうちの一方の面側で、第１ハウジング部を中間ハウジング部に連結するコーナーヒンジとし、他の２個は、中間ハウジング部主壁の表裏両面のうちの他方の面側で、第２ハウジング部を中間ハウジング部に連結するコーナーヒンジとし、これにより、第１ハウジング部と第２ハウジング部は、それぞれ中間ハウジング部の主壁の両面側において、中間ハウジング部に対してヒンジで連係動作し、各コーナーヒンジは、それぞれ２種類のヒンジ素子によって形成し、一方の種類のヒンジ素子は３個のハウジング部における１個のハウジング部に連結したヒンジアームとし、他方の種類のヒンジ素子は、３個のハウジング部における他のハウジング部に連結したヒンジ素子とする。
【背景技術】
【０００３】
一般的な種類の多連装情報ディスクハウジングはヨーロッパ特許公開第０１１４６３１号明細書から既知である。この既知のハウジングは、複数の光ディスクの収納のために設計され、単独の光学情報ディスク（例えばＣＤ、ＣＤ‐ＲＯＭ、ＤＶＤ等）のための古典的なジュエルボックスハウジングの特別な変更例と見られる。既知の古典的な単独ディスクジュエルボックスハウジングは、底部にヒンジ連結した蓋部を有し、底部には、１個の情報ディスクを保持する保持具を中心に設けた、いわゆるトレイ部を固定する。ヨーロッパ特許公開第０１１４６３１号に記載の多連装情報ディスクハウジングは、しかしながら、基本的に、３個のハウジング部、すなわち、単独ディスクジュエルボックスハウジングの底部と同一の２個のヒンジ連結ハウジング部と、中間ハウジング部とからなる。第３の中間ハウジング部は、互いに対向する中間ハウジング部の側方側壁を有し、この側方側壁は、ハウジングを閉じた状態にしたとき、ヒンジ連結する第１および第２ハウジング部の対応する側方側壁をカバーする。この従来技術の多連装情報ディスクハウジングの高さ寸法は、単独ディスクジュエルボックスハウジングの高さ寸法の２倍であり、多連装情報ディスクハウジングが、販売用のディスプレイや本棚などにおいて、単独ディスクジュエルボックスハウジングと並べて並ぶように、残りの寸法は一般的に、単独ディスクジュエルボックスハウジングと同一である。
【発明の開示】
【発明が解決しようとする課題】
【０００４】
この従来技術多連装情報ディスクハウジングは、以下の不利な点を有する。
【０００５】
蓋部がないために、印刷した蓋部挿入シートを使用できず、そのためユーザはすぐに蓋部の内部の情報を読むことができず、加えて、外側から、読むことができる情報が与えられない。標準的な単独ディスクハウジングにおいて、蓋部には、簡素な１枚の情報挿入シート、もしくはページが多数ある小冊子を設けることができる。ジュエルボックスハウジングの製造者は、生産性を向上するため、蓋部挿入シートの標準的なジュエルボックスハウジング蓋部への挿入において、自動機械を使用する。残念ながら、従来技術の多連装情報ディスクハウジングにおいては、このような自動機械を使用できない。
【０００６】
第１および第２ハウジング部を開ける時に、ユーザは、ハウジングの残りの部分に対して、該当ハウジング部だけを、回転して動かすだけでなく、動かしているハウジング部の保持具上のＣＤも動かすことになる。したがって、ＣＤがハウジング部から、特に、動かしているヒンジ連結のハウジング部が、標準的なジュエルボックスハウジングのトレイ部を含む底部と同一の一般形状をしている場合に、抜け落ちる危険性がある。標準的なジュエルボックスハウジングの底部において、互いに対向する側方側壁は、光学ディスクの側方端縁を、完全にはカバーしない。トレイ部を、従来技術の多連装情報ディスクハウジングの第１および第２のハウジング部の一方または双方から、取り外すことはできない。トレイ部は、ＣＤを第１および第２ハウジング部のいずれかに設けない場合においても、トレイ部と第１および第２ハウジング部との間に設ける挿入シートを保持する必要がある。
【０００７】
第３の中間ハウジング部の主壁の、両面もしくは片面に、光学ディスクを保持する保持具を設ける場合、情報小冊子を設けることは困難、もしくは不可能である。
【０００８】
ハウジングは、少なくとも５個の個別部分、すなわち上述の３個のハウジング部と、２個のヒンジ連結底部にそれぞれ設けるトレイ部とからなり、さらに、場合によって、中間ハウジング部の主壁の片面、もしくは両面にディスク保持具を設けることもある。
【課題を解決するための手段】
【０００９】
本発明の目的は、冒頭の段落において言及した種類のハウジングであって、上記に示す不利な点のうちの少なくとも１つを回避するハウジングを得るにある。より近代的で、操作の簡単な、高品質な多連装情報ディスクハウジングを提供するために、本発明のハウジングには、美的外観の向上、美的品質の向上、操作の簡便さ等の向上のための、多くの追加機能を設けることもできる。
【００１０】
上述の目的は、請求項１に記載の特徴を有する、本発明多連装情報ディスクハウジングによって達成する。好適には、第１ハウジング部を蓋部とし、第２ハウジング部を底部とする。
【００１１】
本発明の多連装情報ディスクハウジングには、単独ディスクジュエルボックスハウジングでは普通の印刷挿入シート、または、印刷多重シートである挿入小冊子を設けることができる。第１ハウジング部、すなわち特別には、蓋部の保持手段に設ける光学ディスクは存在しない。これにより蓋部が軽くなり、開けるときに、光学ディスクが、蓋部から抜け落ちるいかなる危険性も確実に排除されるので、開けることが簡単になる。
【００１２】
ヒンジアームおよびヒンジ壁の特別な配置により、形成されるコーナーヒンジは、第２ハウジング部、すなわち特別には底部、中間ハウジング、および第１ハウジング部、すなわち特別には蓋部の側方側壁からなる、ハウジングの側方輪郭から内方に引っ込んだ状態で存在する。この結果、ハウジングは、特にこのようにして得られるハウジングのヒンジは、落下や衝撃のような、機械的な外的影響に対して、従来技術の多連装ディスクハウジングより耐性がある。したがって、本発明のハウジングは、すべての種類のディスク形状の情報キャリヤ、例えば、オーディオ、ビデオ、データといった情報を記録した光学的または光磁気的のディスクを収納するのに適している。
【００１３】
この点で、本発明の多連装情報ディスクハウジングは、本願人に譲渡された米国特許公開第５８９０５９０号において開示される種類の、より現代的なジュエルボックスデザインにより深く関連する。米国特許公開第５８９０５９０号は、参考として本明細書に記載した。
【発明を実施するための最良の形態】
【００１４】
ユーザーにとって操作の容易さの観点から重要である本発明の実施例は、請求項２の記載で定義される。原則として、上述のコーナー凹みは、互いに対向する中間ハウジング部交差方向側壁に設け、そのため、基本的にはジグザグ形状のハウジングとなる。しかしながら、このようなジグザグ形状を操作することは、ユーザーにとっては困難であると感じられ、ハウジングまたはハウジングの中のディスクまたはその双方を落とす危険性がある。
【００１５】
本発明による多連装情報ディスクハウジングの別の好適な実施例は、請求項３の記載で定義される。この実施例の主な利点は、第１ハウジング部すなわち特別には蓋部、および第２ハウジング部すなわち特別には底部を閉じている状態において、多連装情報ディスクハウジングは、ヒンジアームを対にして順次重ね合わせて位置決めし、ヒンジアーム壁のうち頂部のヒンジアーム壁が、蓋部主壁、および、底部主壁とそれぞれほぼ同一平面上に整列配置されることより、ほぼ完全に閉じた直角平行６面体の全体形状となる。
【００１６】
好適な別の実施例は、請求項４の記載で定義される。本発明の本実施例の多連装情報ディスクハウジングは、丸いコーナーを有して、ヨーロッパ特許公開第０１１４６３１号に記載の、上述した従来技術の多連装情報ディスクハウジングに比べて、より一層滑らかで、きれいな外観をしており、事実上、米国特許公開第５８９０５９０号記載の発展型のジュエルボックスハウジングに適用すれば、より滑らかで、きれいな外観になる。また、ハウジングの丸いコーナーによって、ハウジング、またはハウジングの個々の部分のいずれかに対する損傷をよりよく保護できる。
【００１７】
別の実施例は、請求項５の記載で定義される。この実施例により、ディスクを、底部に１枚、中間ハウジング主壁の両面で２枚、の少なくとも３枚を収納することが可能になる。
しかしながら、より多くのディスクを収納可能にすることもできる。米国特許公開第６２４１０８９号（やはり本願人に譲渡されたものであり、参考として本明細書に掲げた）は、２枚のディスクの中心開口部と連係動作し、ディスクを重ね合わせて保持する保持具を開示している。上述した既知の種類の保持具を組み込んだ実施例によれば、例えば中間ハウジング部の蓋部に向いている面の中心に設けることによって、４枚の情報ディスクを本発明のハウジングに収納できる。後に開示で述べるが、他の実施例において、４枚または４枚以上の情報ディスクを本発明のハウジングに収納できる。
【００１８】
別の実施例は、請求項６の記載で定義される。この実施例では、ヒンジアームおよびヒンジ壁は、それ自体既知である簡単かつ信頼性が高い方法よって、互いに回動可能に連結できる。
【００１９】
蓋部を中間ハウジング部に、中間ハウジング部を底部に固定するのを容易にするため、請求項７に記載の実施例を使用する。好適には、ヒンジアームは、互いに向かう方向に、すなわち２個のアーム間に延在し、または互いに離れる方向に延在するラインに沿う方向に弾性を有するとともに、ヒンジ壁を剛性にする。好適には、ヒンジアームには、スタッドもしくは丸いピンを設け、スタッドもしくはピンは、ハウジングの自動組み立て工程において、ヒンジ壁に設けた開口に簡単に挿入することができる。組み立ての後、ヒンジ・アームの弾性特性によって、スタッドが開口部に確実に留まる。底部および、中間ハウジング部の蓋部を向いている側は、箱形状をなし、垂直側壁を設ける。底部または中間ハウジング部において、好適には、凹みヒンジ壁は、側壁から内方へ引っ込んだ壁部分により形成する。さらに、この構成によれば、コーナーヒンジに若干の屈撓性を生じ、また、この屈撓性によってコーナーヒンジのとくに有効な保護がなされるようになる。
【００２０】
請求項８に記載の実施例によれば、保護壁は、弾性的構造となり、互いに接近したり、遠ざかったりする方向に弾性を有する。
【００２１】
別の実施例は、請求項９の記載で定義される。この実施例においては、保護壁は、完全にハウジングの外側輪郭内に存在する。好適には、保護壁は、それぞれ底部および中間ハウジング部の側壁の延長方向に存在するようにする。
【００２２】
別の実施例は、請求項１０の記載で定義される。コーナーヒンジに隣接する、ハウジングのコーナー部分を丸い角にするのに、このように得る丸みのある遷移部は、望ましい。ハウジングは、丸い角によって、尖った部分がなくなり、ユーザーにとって、より使用しやすくなり、丸い角は、尖った角にくらべて傷つきにくい。したがって、好適には、ハウジングの全てのコーナーに丸みを付ける。この点で、請求項１１に記載の実施例を使用できる。この実施例においては、各保護壁は、対応の遊端部分に合流する滑らかな湾曲部分を有し、少なくともハウジングを閉じた状態にしたとき、中間ハウジング部および底部のそれぞれにおける対応の側方側面と、対応の後壁との間における丸みのある遷移部が形成される。
【００２３】
別の実施例は、請求項１２の記載で定義される。蓋部の内部のタグは、蓋部の挿入シートもしくは小冊子の自動挿入に使用する。タグは、蓋部側方側壁の設計に、干渉しない。
【００２４】
好適には、請求項１３に記載の別の実施例を使用する。この実施例によれば、低コストで高品質なものができる。
【００２５】
別の実施例は、請求項１４の記載で定義される。好適には、請求項15の実施例を使用する。現代の単装ディスクジュエルボックスハウジングにおいて、情報は、外側のいずれの面からも見ることができる。それによって、ハウジングは、販売用の棚や、保存用の棚等で、任意の姿勢で置くことができ、重要な情報は、ハウジングの外側から見ることができる。この実施例によれば、本発明の多連装情報ディスクハウジングは、同様の効果を得る。好適には、ハウジングの挿入シートの印刷情報を最大限に見やすくするために、請求項１６に記載の別の実施例を使用する。この点に関して別の有利な実施例は、請求項１７の記載で定義される。
【００２６】
本発明の別の有利な実施例は、請求項１８〜３１の記載で定義される。
【００２７】
本発明による多連装情報ディスクハウジングの中間ハウジング部は、さまざまな形式に適切に構成することができる。１つの可能性としては、請求項３２に記載の実施例がある。この実施例においては、中間ハウジング部は、中間ハウジング部に着脱自在に固定する、中間ハウジング部保持手段、すなわちトレイ部を設けずに、中間ハウジング部の主壁の両面のうちの少なくとも片面上に一体形成された中間ハウジング部保持装置を設ける。
【００２８】
別の有利な実施例は、請求項３３の記載で定義される。この実施例において、本発明による多連装情報ディスクハウジングの外観は、可能な限り単装ディスクハウジングの外観に近似させることが簡単にでき、そのため、この２種類のハウジング、すなわち、単装ディスクハウジングおよび本発明による多連装ディスクハウジングは、即座に、同一カテゴリーのハウジングだと認識され、その結果、本発明のハウジングは、個人宅の本ケースや、自動車もしくは商業的な販売スタンドのコンパートメントのような、この種のハウジングを収納する収納コンパートメントに収納できる。もちろん、中間ハウジング部の主壁は、底部上に蓋部を重ね合わせた合計厚み寸法にする必要は、必ずしもなく、例えば、底部または蓋部と同一の厚み寸法を有することができる。これによって、複数個のディスクの収納や、情報シートや小冊子のような他の品目を収納するより多くの空間を設けることができる。
【００２９】
別の有利な実施例は、請求項３４の記載で定義される。この実施例においては、第４のハウジング部として設けるヒンジトレイ部によって、本発明の多連装情報ディスクハウジングで、さらに多くの情報ディスクを保持することができる。ヒンジトレイ部は、それ自体、従来技術から既知であり、例えば、参考として本明細書に掲げた米国特許公開第５２８４２４３号、または米国特許公開第５６８５４２５号を参照されたい。本発明の上述した実施例に記載の多連装情報ディスクハウジングは、ヒンジトレイ部を含むように、特別な改変を加える。
【００３０】
請求項３５の記載で定義される別の実施例は、ヒンジトレイ部の後端に空き空間を生ずることを回避でき、有利である。
【００３１】
本発明のこれらの目的と特徴および、別の更なる目的と特徴は、上記のおよび以下に記載する明細書、ならびに特許請求の範囲および図面を含む本開示で、明らかになるであろう。
【実施例１】
【００３２】
図面の詳細な説明
本発明による多連装情報ディスク・ハウジングの好適な実施例を、図１〜図３、図４および図５に参照符号「１」で示す。一般に公知で本発明に関連しない光ディスクは、これら図面に示さない。
【００３３】
本発明多連装情報ディスクハウジングは、とくに、３個のハウジング部３〜７により構成する。ヒンジ連結の第１ハウジング部３は、浅い開放した箱形状であり、第１ハウジング部の主壁９、互いに対向する第１ハウジング部の側方側壁１１Ａ，１１Ｂ、これら側方側壁に対して交差する方向に延在して互いに対向する第１ハウジング部の交差方向側壁１３，１５を有する。ヒンジ連結の第２ハウジング部５は、浅い開放した箱形状であり、第２ハウジング部の主壁１７、互いに対向する第２ハウジング部の側方側壁１９Ａ，１９Ｂ、これら側方側壁に対して交差する方向に延在して互いに対向する第２ハウジング部の交差方向側壁２１，２３を有する。中間ハウジング部７は、第１ハウジング部３と第２ハウジング部５の間に設置し、中間ハウジング部の主壁２５、互いに対向する中間ハウジング部の側方側壁２７A、２７B、中間ハウジング部の交差方向側壁２９、３１を有する。
【００３４】
４個のコーナーヒンジを設け、２個は第１ハウジング部３を中間ハウジング部７に連結し、２個は第２ハウジング部５を中間ハウジング部７の主壁２５の両側側面で、中間ハウジング部７に連結する。これにより、第１ハウジング部３と第２ハウジング部５は、それぞれ中間ハウジング部の主壁２５の両側において、中間ハウジング部７に対してヒンジで連携する。各コーナーヒンジは、それぞれ２種類のヒンジ素子によって形成し、以下に説明するように、一方の種類のヒンジ素子は３個のハウジング部３，５，７における１個のハウジング部に連結するヒンジアームであり、他方の種類のヒンジ素子は、３個のハウジング部３，５，７における他のハウジング部に連結するヒンジ素子である。
【００３５】
本発明によれば、第１ハウジング部３は蓋部であり、そして、第２ハウジング部５は底部である。蓋部３には、蓋部のヒンジアーム３３Ａ，３３Ｂとして形成したヒンジ素子を設け、この蓋部のヒンジアーム３３Ａ，３３Ｂは、対応する第１ハウジング部の側方側壁１１Ａ，１１Ｂに対して内方に引っ込んだ位置をとるヒンジアームとして形成する。底部５には、底部コーナー凹み３５Ａ／３５Ｂとして形成したヒンジ素子を設け、これら底部コーナー凹み３５Ａ／３５Ｂは、それぞれ対応する底部側方側壁１９Ａ、１９Ｂから凹ませた凹みヒンジ壁３７Ａ，３７Ｂによって形成する。中間ハウジング部７には、２個の異なる種類の中間ハウジング部ヒンジ素子を設け、i)第１の種類は、中間ハウジング部ヒンジアーム３９Ａ，３９Ｂとして形成し、各ヒンジアーム３９Ａ，３９Ｂは、対応する中間ハウジング部の側方側壁２７Ａ，２７Ｂに対して内方に引っ込んだ位置をとるヒンジアームとして形成し、対応する底部の凹みヒンジ壁３７Ａ，３７Ｂに整列するヒンジ素子であり、ii）第２の種類は、中間ハウジング部７のコーナー凹み４１Ａ，４１Ｂとして形成し、各コーナー凹み４１Ａ，４１Ｂは、対応する中間ハウジング部の凹みヒンジ壁４３Ａ，４３Ｂによって形成し、対応する蓋部のヒンジアーム３３Ａ，３３Ｂに整列するヒンジ素子である。ヒンジアーム３３Ａ，３３Ｂ；３９Ａ，３９Ｂは、それぞれに対応するコーナー凹み３５Ａ，３５Ｂ；４１Ａ，４１Ｂに突入し、対応する凹みヒンジ壁３７Ａ，３７Ｂ；４３Ａ，４３Ｂに回転可能に結合してコーナーヒンジを形成する。蓋部３および中間ハウジング部７はそれぞれ２個の保護壁を有し、これら保護壁は、それぞれに対応する蓋部ヒンジアーム保護壁４５Ａ，４５Ｂおよび中間ハウジング部ヒンジアーム保護壁４７Ａ，４７Ｂであり、それぞれに対応するヒンジアーム３３Ａ，３３Ｂ；３９Ａ，３９Ｂが、対応の保護壁４５Ａ，４５Ｂ；４７Ａ，４７Ｂと対応のヒンジ壁４３Ａ，４３Ｂ；３７Ａ，３７Ｂとの間に存在する構成とする。
【００３６】
中間ハウジング部のヒンジアーム３９Ａ，３９Ｂおよび中間ハウジング部のコーナー凹み４１Ａ，４１Ｂは、それぞれ同一の中間ハウジング部の交差方向側壁３１に設ける。
【００３７】
各蓋部ヒンジアームは、以下のものからなる。すなわち、
‐対応する蓋部側方側壁１１Ａ，１１Ｂの延長部である蓋部ヒンジアーム外壁４５Ａ，４５Ｂと、
‐外側の蓋部側方側壁１１Ａ，１１Ｂから平行に離れる蓋部ヒンジアーム内壁４９Ａ，４９Ｂと、
‐蓋部ヒンジアームの外壁４５Ａ，４５Ｂと内壁４９Ａ，４９Ｂとを相互連結し、蓋部ヒンジアーム壁の外壁４５Ａ，４５Ｂおよび内壁４９Ａ，４９Ｂに対してほぼ直交する蓋部ヒンジアーム後壁５１Ａ，５１Ｂと、
‐蓋部ヒンジアーム壁の外壁４５Ａ，４５Ｂと内壁４９Ａ，４９Ｂとを相互連結し、これら外壁４５Ａ，４５Ｂと内壁４９Ａ，４９Ｂに対してほぼ直交し、蓋部ヒンジアーム後壁５１Ａ，５１Ｂから離れて位置する蓋部ヒンジアーム前壁５３Ａ，５３Ｂと、
‐実質的に蓋部の主壁９の延長部であり、蓋部ヒンジアーム壁の外壁４５Ａ，４５Ｂ、内壁４９Ａ，４９Ｂ、後壁５１Ａ，５１Ｂ、および前壁５３Ａ，５３Ｂに対して直交する蓋部ヒンジアーム頂壁５５Ａ，５５Ｂと
からなり、蓋部ヒンジアーム壁の外壁４５Ａ，４５Ｂ、内壁４９Ａ，４９Ｂ、後壁５１Ａ，５１Ｂ、前壁５３Ａ，５３Ｂ、および頂壁５５Ａ，５５Ｂが直角開放箱を成す構成とし、この直角開放箱の開口部５７は、蓋部３が閉じている状態において、蓋部主壁９から離れる方向に中間ハウジング部７に向かって指向する。
【００３８】
さらに、中間ハウジング部ヒンジアーム３９Ａ，３９Ｂは以下のものからなる。すなわち、
‐対応する中間ハウジング部側方側壁２７Ａ，２７Ｂの延長部である中間ハウジング部ヒンジアーム外壁４７Ａ，４７Ｂと、
‐中間ハウジング部ヒンジアーム外壁４７Ａ，４７Ｂと平行に離れて位置する中間ハウジング部ヒンジアーム内壁５７Ａ，５７Ｂと、
‐中間ハウジング部ヒンジアーム壁の外壁４７Ａ，４７Ｂと内壁５７Ａ，５７Ｂとを相互連結し、これら外壁４７Ａ，４７Ｂおよび内壁５７Ａ，５７Ｂに対してほぼ直交する中間ハウジング部ヒンジアーム後壁５９Ａ，５９Ｂと、
‐中間ハウジング部ヒンジアーム壁の外壁４７Ａ，４７Ｂと内壁５７Ａ，５７Ｂとを相互連結し、これら外壁４７Ａ，４７Ｂおよび内壁５７Ａ，５７Ｂに対してほぼ直交し、また中間ハウジング部ヒンジアーム後壁５９Ａ，５９Ｂから離れて位置する中間ハウジング部ヒンジアーム前壁６１Ａ，６１Ｂと、
‐中間ハウジング部の主壁２５にほぼ平行に離れて位置し、中間ハウジング部ヒンジアーム壁の外壁４７Ａ，４７Ｂ、内壁５７Ａ，５７Ｂ、後壁５９Ａ，５９Ｂ、および前壁６１Ａ，６１Ｂに対して直交する中間ハウジング部ヒンジアーム頂壁６３Ａ，６３Ｂと
からなり、 これら中間ハウジング部ヒンジアーム壁の外壁４７Ａ，４７Ｂ、内壁５７Ａ，５７Ｂ、後壁５９Ａ，５９Ｂ、前壁６１Ａ，６１Ｂ、頂壁６３Ａ，６３Ｂが直角開放箱をなす構成とし、この直角開放箱の開口部６５Ａ，６５Ｂは、蓋部３と底部５が閉じている状態において、蓋部３に向かって底部５から離れる方向に指向する。
【００３９】
ハウジングは、４個のすべてのコーナーで、丸みをおびている。従来の技術から既知であり、したがって、本発明に関係しないものとして詳細な説明を省略した、図示しない関連ディスクの中心孔に連係動作する保持具を設ける。全体的に、参照符号６７，６９，７１，７３で示したこのような保持具を設ける。保持具６７、６８を中間ハウジング部７の両面に設け、保持具７１、７３を、底部５の内側における、以下に説明するヒンジトレイ部７５の両面に設ける。
【００４０】
蓋部３と中間ハウジング部７とのヒンジ連結、および中間ハウジング部７と底部５とのヒンジ連結のために、ヒンジ素子を設ける。ヒンジ素子は、それぞれ底部凹みヒンジ壁３７Ａ，３７Ｂ、および中間ハウジング部凹みヒンジ壁４３Ａ，４３Ｂからなり、各凹みヒンジ壁は、それぞれ、底部凹みヒンジ壁開口７７Ａ，７７Ｂおよび中間ハウジング部凹みヒンジ壁開口７９Ａ，７９Ｂを含む。ヒンジ素子は、さらに、中間ハウジング部凹みヒンジ壁開口７９Ａ，７９Ｂに連係動作する蓋部ヒンジアームスタッド８１Ａ，８１Ｂ、および底部凹みヒンジ壁開口７７Ａ，７７Ｂに連係動作する中間ハウジング部ヒンジアームスタッド８３Ａ，８３Ｂからなる。
【００４１】
上述の底部凹みヒンジ壁３７Ａ，３７Ｂおよび中間ハウジング部凹みヒンジ壁４３Ａ，４３Ｂは剛性を有し、またヒンジアーム３３Ａ，３３Ｂおよび３９Ａ，３９Ｂは、蓋部３および中間ハウジング部のそれぞれにおける対応するヒンジアーム３３Ａ，３３Ｂおよび３９Ａ，３９Ｂ間に延在するラインに沿う方向に弾性を有する。これらヒンジアームの保護壁４５Ａ，４５Ｂおよび４７Ａ，４７Ｂは、弾性的構造を有する。保護壁４５Ａ，４５Ｂおよび４７Ａ，４７Ｂは、中間ハウジング部７および底部５のそれぞれにおける対応するコーナー凹み４１Ａ，４１Ｂおよび３５Ａ，３５Ｂに突入する。
【００４２】
保護壁４５Ａ，４５Ｂおよび４７Ａ，４７Ｂは、それぞれ遊端部分を有し、すなわち、蓋部ヒンジアーム遊端部分８５Ａ，８５Ｂおよび中間ハウジング部ヒンジアーム遊端部分８７Ａ，８７Ｂを有し、これら遊端部分は、互いの方向に向き合うように湾曲し、ヒンジアームの遊端からある距離だけ離れて位置する。とくに、保護壁４５Ａ，４５Ｂおよび４７Ａ，４７Ｂの各々は、対応の遊端部分に合流する滑らかな湾曲部分８５Ａ，８５Ｂ；８７Ａ，８７Ｂを有し、少なくともハウジング１を閉じた状態にしたとき、中間ハウジング部７および底部５のそれぞれにおける対応の側方側壁１９Ａ，１９Ｂおよび２７Ａ，２７Ｂと、対応の後壁２３，３１との間における丸みのある遷移部を形成する。
【００４３】
既知のように、蓋部３には、内部タグ８９を設け、これら内部タグ８９は、蓋部の交差方向側壁１３，１５から互いの方向に突出し、図３にのみ点線の仮想アウトラインで示した挿入ドキュメント９１を保持しうるようにする。従来技術で既知のように、このドキュメントは、情報を印刷した単独シートもしくは冊子である。
【００４４】
蓋部３、中間ハウジング部７および底部５は、全て、射出成形体製品とすることができる。好適には、底部主壁１７、互いに対向する底部側方側壁１９Ａ，１９Ｂ、互いに対向する底部交差方向側壁２１，２３を、それぞれ透明にし、図３にのみ点線の仮想アウトラインで示した底部挿入シート９３を、底部主壁１７上に配置する。このような挿入シートも従来技術から既知であり、底部側方側壁１９Ａ，１９Ｂに隣接して延在する挿入シート直立側方部分９５Ａ，９５Ｂ、または底部交差方向側壁２１，２３に隣接して延在する挿入シート交差方向側方部分９７、９９を有する。
【００４５】
図示しない本発明の実施例として、互いに対向する中間ハウジング部側方側壁２７Ａ，２７Ｂと互いに対向する中間ハウジング部交差方向側壁２９，３１も透明にし、底部の挿入シート９３と類似の中間ハウジング部挿入シートを、中間ハウジング部主壁２５上に配置することも可能である。この場合、中間ハウジング部を、蓋部３および底部５と同様に、透明射出成形体製品とすることができる。
【００４６】
底部挿入シートの直立部分である９５Ａ，９５Ｂ，９７，９９に情報を印刷することで、本発明多連装ディスクハウジングのユーザは、透明な底部側方側壁１９Ａ，１９Ｂ、および前壁２１，後壁２３を通して、どの方向からも情報を見取ることができる。
【００４７】
底部側方側壁１９Ａ，１９Ｂおよび底部交差方向側壁２１，２３、並びに中間ハウジング部側方側壁２７Ａ，２７Ｂおよび中間ハウジング部交差方向側壁２９、３１は、それぞれ、ほとんど途切れのない壁によって形成し、対応の底部主壁１７および中間ハウジング部主壁２５に対してほぼ等しい高さを有するものとして構する。挿入シート９３の直立部分９５Ａ，９５Ｂ、９７および９９は、それぞれに対応する隣接の底部側方側壁１９Ａ，１９Ｂおよび底部交差方向側壁２１、２３の長さの大部分に沿って延在する。
【００４８】
中間ハウジング部７の構造は、底部後壁２３がほとんど途切れることなく、底部前壁２１および底部側方側壁１９Ａ，１９Ｂのそれぞれの高さに対応する高さを有するものとする。底部の挿入シート９３は、底部後壁２３に隣接して延在する直立部分９９を有する。蓋部の構造は、中間ハウジング部後壁３１がほぼ途切れることなく、中間ハウジング部前壁２９および中間ハウジング部側方側壁２７Ａ，２７Ｂの高さに相当する高さを有するものとして構成する。中間ハウジング部に挿入シートがある場合は、挿入シートは、中間ハウジング部後壁３１に隣接して延在する直立部分を有するものとする。
【００４９】
底部５は、通常トレイと称されて、少なくとも１個の情報ディスクを収納する底部収納具７５を有する。この底部収納具、すなわちトレイ７５は、底部５の隣接コーナーにのみ配置した底部保持手段（図示せず）に保持する。これら保持手段およびトレイ７５との相互作用の詳細は、本明細書では説明せず、参考として掲げた米国特許公開第６０００５３７号明細書に記載されており、従来技術における単独情報ディスクのジュエルボックスハウジング(Jewel Box housing）であり、オランダ国ワールレ（Waalre）に居所するスーパー・ジュエル・ボックス・インターナショナル社（Super Jewel Box International BV）から市販されている。中間ハウジング部７は、図示しない実施例として、収納具すなわち底部トレイ７５に類似トレイを有し、底部挿入シート９３に類似の挿入シートを有するものとすることもできる。底部保持手段（図示せず）は、底部収納具すなわちトレイ７５を底部５に対して着脱自在に固定する。底部保持手段は、図示しない第１スナップ閉止素子および第２スナップ閉止素子を有し、これらスナップ閉止素子は、底部前壁２１と一方の底部側方側壁との間におけるコーナー、および底部前壁２１と他方の底部側方側壁との間におけるコーナーに設ける。底部挿入シート９３は、透明な底部主壁１７に対向する側面に、情報を印刷する。
【００５０】
図示した本発明による実施例においては、互いに対向する中間ハウジング部側方側壁２７Ａ，２７Ｂおよび互いに対向する中間ハウジング部交差方向側壁２９，３１を不透明とする。したがって挿入シート９１および９３のような本発明多連装情報ディスクハウジングに存在する任意の挿入シートから入手可能ないかなる情報も、透明な蓋部３の主壁９、底部主壁１７、底部側方側壁１９Ａ，１９Ｂおよび底部交差方向側壁２１，２３を通してしか見ることができない。
【００５１】
好適には、図面に示したように、中間ハウジング部を、一体射出成型した不透明なハウジング部７とし、少なくとも１個の情報ディスクを中間ハウジング部主壁２５の両面でそれぞれ収納保持するために、一体射出成型した中間ハウジング部保持具６７，６９を有する。したがって、図示の実施例では、４個の射出成型部分、すなわち３個のハウジング部３，７，５、およびトレイ部７５のみを有する。ヨーロッパ特許公開第０１１４６３１号明細書に記載の従来技術の多連装情報ディスクハウジングは、少なくとも５個の個別部分、すなわち、２個の底部、１個の中間ハウジング部、２個のトレイ部を有する。１個の情報ディスクを中間ハウジング部に配置すべき場合、このようなＣＤのために個別の保持具を設けなければならない。
【００５２】
極めて有利なことに、本発明の上述した実施例による多連装情報ディスクハウジングは、個別の浅い箱を２個、すなわち上側ボックスおよび下側ボックスを積み重ねた構造であり、各ボックスが、蓋部、底部、および米国特許公開第６、０００、５３７号による単装情報ディスクジュエルボックス型ハウジングのようなハウジングの同一側面側に配置した２個のコーナーヒンジ有し、上側ボックスの底部および下側ボックスの蓋部を一体中間ハウジングに合体させ、この中間ハウジングに対して上側ボックスの蓋部および下側ボックスの底部をヒンジ連結する全体構造を有する。この種類の実施例を、図に示す。蓋部３は、単装情報ディスクハウジングの蓋部と同一であり、トレイ７５および挿入シート９３を含む底部５は、単装情報ディスクジューエルボックスハウジングの対応する部分と同一である。したがって、中間ハウジング部７のみが専用ハウジング部であり、多連装情報ディスクハウジングの残りの部分は、単装情報ディスク・ジューエル・ボックス・ハウジングの対応部品と同一である。このことは、例えば、ＣＤディスクハウジングとして使用するため、図示の本発明による多連装情報ディスク・ハウジングを組み立てることは、入手可能な単装ＣＤディスクハウジング部と、付加的な専用中間ハウジング部とから組み立てることを意味する。このことは、多連装情報ディスクハウジングの製造コストを低減する観点からは、極めて魅力的な特徴である。
【００５３】
本発明による多連装情報ディスクハウジングに収納するＣＤの数を増やすことができるようにするため、トレイ部７５を、底部５に対してヒンジ運動（回動）できるヒンジトレイ部７５として構成し、トレイ主壁１０１と、互いに対向するトレイ部側方側壁１０３Ａ，１０３Ｂと、互いに対向するトレイ部交差方向側壁１０５，１０７とを有し、また、トレイ部主壁１０１の両側の表面にそれぞれトレイ部保持具７１，７３を設けたものとして構成する。ヒンジトレイ部７５には、トレイ部ヒンジアーム１０９Ａ，１０９Ｂとして形成したヒンジ素子を設け、各トレイ部ヒンジアームは、対応のヒンジトレイ部側方側壁1１０３Ａ，１０３Ｂから引っ込ませることによって形成する。
【００５４】
トレイ部の各ヒンジアーム１０９Ａ，１０９Ｂは、中間ハウジング部ヒンジアーム４７Ａ，４７Ｂに対向する側面においてコーナーヒンジを形成する底部凹みヒンジ壁３７Ａ，３７Ｂに対して回転可能に連結し、これにより、ヒンジトレイ部ヒンジアーム１０９Ａ，１０９Ｂは、２個の底部凹みヒンジ壁３７Ａ，３７Ｂ間に存在しかつこれらの底部凹みヒンジ壁３７Ａ，３７Ｂとヒンジ連係動作する。底部５に対してヒンジトレイ部７５がヒンジ運動できるようにするため、ヒンジトレイ部７５にヒンジトレイ部スタッド１１１Ａ，１１１Ｂを設け、これらヒンジトレイ部スタッド１１１Ａ，１１１Ｂは、ヒンジトレイ部ヒンジアーム１０９Ａ，１０９Ｂの外方に指向する表面に設ける。これらヒンジトレイ部スタッド１１１Ａ，１１１Ｂは、底部凹みヒンジ壁３７Ａ，３７Ｂにそれぞれ設けた付加的な底部凹みヒンジ壁開口1１１３Ａ，１１３Ｂに対してそれぞれ連係動作する。ヒンジトレイ部ヒンジアーム１０９Ａ，１０９Ｂは、トレイ部主壁１０１に平行な平面上に存在する平坦な連結部１１５によって相互連結する。
【００５５】
特定の有利で好適な実施例につき本発明を説明してきたが、特許請求の範囲で規定する本発明の範囲から逸脱することなく、本発明は、種々の変更および改変を加えた構成にすることができる。
【図面の簡単な説明】
【００５６】
【図１】完全に閉じた状態の本発明による多連装情報ディスク・ハウジングを示した斜視図である。
【図２】図１の多連装情報ディスクハウジングの開いた状態を示し、蓋部、中間ハウジング部、底部および底部収納具が、互いに約１５角度の角度にわたり回転している斜視図である。
【図３】平行に間隔を置いて並べられた多連装情報ディスクハウジングの各ハウジング部、底部収納具、ならびに２枚の挿入シートを示す斜視図である。
【図４】上下を反対にして（底部を上にして）多連装情報ディスクハウジングの前方から見た前方斜視図である。
【図５】後方から見た図４と同様の後方斜視図である。
【図６】中間ハウジング部の下側面を示す平面図である。
【図７】図６の中間ハウジング部の前側面を示す平面図である。
【図８】図６および図７の中間ハウジング部の上側面を示す平面図である。
【図９】図６〜８の中間ハウジング部の後側面を示す側面図である。
【図１０】図６に示すＸ‐Ｘ線上における中間ハウジング部の断面図である。
【図１】
2007518633.tif 000003
【図２】
2007518633.tif 000004
【図３】
2007518633.tif 000005
【図４】
2007518633.tif 000006
【図５】
2007518633.tif 000007
【図６】
2007518633.tif 000008
【図７】
2007518633.tif 000009
【図８】
2007518633.tif 000010
【図９】
2007518633.tif 000011
【図１０】
2007518633.tif 000012
【国際調査報告】
2007518633.tif 000013
2007518633.tif 000014
2007518633.tif 000015